【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
難燃性ポリマー組成物であって、
ａ）１種以上の熱可塑性エラストマーと、
ｂ）難燃剤混合物であって、
ｂ１）式（Ｉ）のホスフィネート；式（ＩＩ）のジスホスフィネート；（Ｉ）のポリマー；（ＩＩ）のポリマー；（Ｉ）および（ＩＩ）のコポリマー；ならびに前記ホスフィネート、ジホスフィネート、ポリマーおよびコポリマーの２種以上の混合物からなる群から選択される物質を含む少なくとも１種の難燃剤
【化１】
2019515985.tif 000001
（式中、Ｒ1およびＲ2は、水素、線状または分岐のＣ1〜Ｃ6アルキル基、およびアリール基から独立して選択され、Ｒ3は、線状もしくは分岐のＣ1〜Ｃ10−アルキレン基、Ｃ6〜Ｃ10−アリーレン基、−アルキルアリーレン基または−アリールアルキレン基であり、Ｍは、カルシウム、マグネシウム、アルミニウム、亜鉛およびそれらの混合物からなる群から選択され、ｍは、２〜３であり、ｎは、１または３であり、およびｘは、１または２である）、
ｂ２）ホスホネートオリゴマー、ポリマーまたはコポリマーおよび任意選択的に金属水酸化物からなる群から選択される少なくとも１種の難燃剤相乗剤、および
ｂ３）少なくとも１種のシクロデキストリン
からなる難燃剤混合物と
含む難燃性ポリマー組成物。
【請求項２】
請求項１に記載の難燃性ポリマー組成物を含む、成形、押し出しまたは造形された物品。
【請求項３】
請求項１に記載の難燃性ポリマー組成物でできたコーティングを含むワイヤまたはケーブル。
【請求項４】
請求項１に記載の難燃性ポリマー組成物でできたコーティングを含む光ケーブル。
【請求項５】
難燃性組成物であって、
Ａ）式（Ｉ）のホスフィネート；式（ＩＩ）のジスホスフィネート；（Ｉ）のポリマー；（ＩＩ）のポリマー；（Ｉ）および（ＩＩ）のコポリマー；ならびに前記ホスフィネート、ジホスフィネート、ポリマーおよびコポリマーの２種以上の混合物からなる群から選択される物質を含む少なくとも１種の難燃剤
【化２】
2019515985.tif 000002
（式中、Ｒ1およびＲ2は、水素、線状または分岐のＣ1〜Ｃ6アルキル基、アリール基およびそれらの混合物から独立して選択され、Ｒ3は、線状もしくは分岐のＣ1〜Ｃ10−アルキレン基、Ｃ6〜Ｃ10−アリーレン基、−アルキルアリーレン基または−アリールアルキレン基であり、Ｍは、カルシウム、マグネシウム、アルミニウム、亜鉛およびそれらの混合物からなる群から選択され、ｍは、２〜３であり、ｎは、１または３であり、およびｘは、１または２である）、
Ｂ）ホスホネートオリゴマー、ポリマーまたはコポリマーおよび任意選択的に金属水酸化物からなる群から選択される少なくとも１種の難燃剤相乗剤、および
Ｃ）少なくとも１種のシクロデキストリン
からなり、
Ａ）は、４０または約４０重量パーセント〜８５または約８５重量パーセントの量で前記難燃性組成物中に存在し、Ｂ）は、５重量パーセント超〜２５または約２５重量パーセントの量で前記難燃剤混合物中に存在し、およびＣ）は、１０または約１０重量パーセント〜３５または約３５重量パーセントの量で前記難燃性組成物中に存在し、
ただし、合計Ａ）＋Ｂ）＋Ｃ）は、１００重量パーセントである、難燃性組成物。
【請求項６】
前記難燃剤相乗剤は、ホモポリマーポリホスホネートまたはコポリマーポリホスホネートである、請求項５に記載の難燃性組成物。
【手続補正２】
【補正対象書類名】明細書
【補正対象項目名】００９４
【補正方法】変更
【補正の内容】
【００９４】
【表１】
2019515985.tif 000003
以下、本明細書に記載の主な発明について列記する。
（１）  難燃性ポリマー組成物であって、
ａ）１種以上の熱可塑性エラストマーと、
ｂ）難燃剤混合物であって、
ｂ１）式（Ｉ）のホスフィネート；式（ＩＩ）のジスホスフィネート；（Ｉ）のポリマー；（ＩＩ）のポリマー；（Ｉ）および（ＩＩ）のコポリマー；ならびに前記ホスフィネート、ジホスフィネート、ポリマーおよびコポリマーの２種以上の混合物からなる群から選択される物質を含む少なくとも１種の難燃剤
【化１】
2019515985.tif 000004
（式中、Ｒ1およびＲ2は、水素、線状または分岐のＣ1〜Ｃ6アルキル基、およびアリール基から独立して選択され、Ｒ3は、線状もしくは分岐のＣ1〜Ｃ10−アルキレン基、Ｃ6〜Ｃ10−アリーレン基、−アルキルアリーレン基または−アリールアルキレン基であり、Ｍは、カルシウム、マグネシウム、アルミニウム、亜鉛およびそれらの混合物からなる群から選択され、ｍは、２〜３であり、ｎは、１または３であり、およびｘは、１または２である）、
ｂ２）ホスホネートオリゴマー、ポリマーまたはコポリマーおよび任意選択的に金属水酸化物からなる群から選択される少なくとも１種の難燃剤相乗剤、および
ｂ３）少なくとも１種のシクロデキストリン
からなる難燃剤混合物と
含む難燃性ポリマー組成物。
（２）  前記難燃性ポリマー組成物の総重量を基準として１８または約１８重量パーセント〜５０または約５０重量パーセントの前記難燃剤混合物を含み、
ｂ１）は、前記難燃性ポリマー組成物の総重量を基準として１５重量パーセント以上の量で前記難燃剤混合物中に存在し、およびｂ２）は、ｂ２）の量がｂ１）の前記量未満であるような量で前記難燃剤混合物中に存在する、（１）に記載の難燃性ポリマー組成物。
（３）  前記少なくとも１種の難燃剤ｂ１）は、アルミニウムホスフィネート、アルミニウムジエチルホスフィネートまたは亜鉛ジエチルホスフィネートである、（１）または（２）に記載の難燃性ポリマー組成物。
（４）  前記シクロデキストリンｂ３）は、β−シクロデキストリンである、（１）〜（３）のいずれか一項に記載の難燃性ポリマー組成物。
（５）  シクロデキストリンｂ３）の量は、前記難燃性組成物の総重量を基準として５重量パーセント以上である、（１）〜（４）のいずれか一項に記載の難燃性ポリマー組成物。
（６）  ｂ２）は、ホモポリマーポリホスホネートである、（１）〜（５）のいずれか一項に記載の難燃性ポリマー組成物。
（７）  ホモポリマーポリホスホネートの量は、前記難燃性ポリマー組成物の総重量を基準として１重量パーセント以上である、（６）に記載の難燃性ポリマー組成物。
（８）  ｂ２）は、コポリマーポリホスホネートである、（１）〜（７）のいずれか一項に記載の難燃性ポリマー組成物。
（９）  １種以上の金属不活性化剤、または熱安定剤、または酸化防止剤をさらに含む、（１）〜（８）のいずれか一項に記載の難燃性ポリマー組成物。
（１０）  前記難燃剤混合物ｂ）は、前記難燃性ポリマー組成物の総重量を基準として１５重量パーセント〜２５重量パーセントまたは約１５重量パーセント〜２５重量パーセントの量で前記難燃剤混合物中に存在するｂ１）を含み、ｂ２）は、前記難燃性ポリマー組成物の総重量を基準として１重量パーセント〜１５重量パーセントまたは約１重量パーセント〜１５重量パーセントの量で前記難燃剤混合物中に存在し、およびｂ３）は、前記難燃性ポリマー組成物の総重量を基準として２重量パーセント〜２０重量パーセントまたは約２重量パーセント〜２０重量パーセントの量で前記難燃剤混合物中に存在する、（１）〜（９）のいずれか一項に記載の難燃性ポリマー組成物。
（１１）  （１）〜（１０）のいずれか一項に記載の難燃性ポリマー組成物を含む、成形、押し出しまたは造形された物品。
（１２）  （１）〜（１０）のいずれか一項に記載の難燃性ポリマー組成物でできたコーティングを含むワイヤまたはケーブル。
（１３）  （１）〜（１０）のいずれか一項に記載の難燃性ポリマー組成物でできたコーティングを含む光ケーブル。
（１４）  難燃性組成物であって、
Ａ）式（Ｉ）のホスフィネート；式（ＩＩ）のジスホスフィネート；（Ｉ）のポリマー；（ＩＩ）のポリマー；（Ｉ）および（ＩＩ）のコポリマー；ならびに前記ホスフィネート、ジホスフィネート、ポリマーおよびコポリマーの２種以上の混合物からなる群から選択される物質を含む少なくとも１種の難燃剤
【化２】
2019515985.tif 000005
（式中、Ｒ1およびＲ2は、水素、線状または分岐のＣ1〜Ｃ6アルキル基、アリール基およびそれらの混合物から独立して選択され、Ｒ3は、線状もしくは分岐のＣ1〜Ｃ10−アルキレン基、Ｃ6〜Ｃ10−アリーレン基、−アルキルアリーレン基または−アリールアルキレン基であり、Ｍは、カルシウム、マグネシウム、アルミニウム、亜鉛およびそれらの混合物からなる群から選択され、ｍは、２〜３であり、ｎは、１または３であり、およびｘは、１または２である）、
Ｂ）ホスホネートオリゴマー、ポリマーまたはコポリマーおよび任意選択的に金属水酸化物からなる群から選択される少なくとも１種の難燃剤相乗剤、および
Ｃ）少なくとも１種のシクロデキストリン
からなり、
Ａ）は、４０または約４０重量パーセント〜８５または約８５重量パーセントの量で前記難燃性組成物中に存在し、Ｂ）は、５重量パーセント超〜２５または約２５重量パーセントの量で前記難燃剤混合物中に存在し、およびＣ）は、１０または約１０重量パーセント〜３５または約３５重量パーセントの量で前記難燃性組成物中に存在し、
ただし、合計Ａ）＋Ｂ）＋Ｃ）は、１００重量パーセントである、難燃性組成物。
（１５）  前記難燃剤相乗剤は、ホモポリマーポリホスホネートまたはコポリマーポリホスホネートである、（１４）に記載の難燃性組成物。